(57)【要約】【課題】  ＥＰＧ情報の自動的で円滑な取得処理を行う放送受信装置及び放送受信方法を提供する。【解決手段】  放送信号を選局し復調して映像音声情報を出力するチューナ部と、チューナ部により所定放送信号を選局し、この放送信号からＥＰＧ情報を取得して記憶するＥＰＧ取得部と、ＥＰＧ取得部がＥＰＧ情報の取得に失敗したらこれをカウントし、前記ＥＰＧ情報の取得を再度行い、このカウント数が予め設定した回数に達したら、ＥＰＧ情報の取得の中止を表示するための表示信号を出力する制御部とを有する放送受信装置。【選択図】図１
2006080665.tif 000002
【特許請求の範囲】
【請求項１】
放送信号を選局し復調して映像音声情報を出力するチューナ部と、
前記チューナ部により所定放送信号を選局し、この放送信号からＥＰＧ情報を取得して記憶するＥＰＧ取得部と、
前記ＥＰＧ取得部が前記ＥＰＧ情報の取得に失敗したらこれをカウントし、前記ＥＰＧ情報の取得を再度行い、このカウント数が予め設定した回数に達したら、前記ＥＰＧ情報の取得の中止を表示するための表示信号を出力する制御部と、
を具備することを特徴とする放送受信装置。
【請求項２】
前記制御部は、予め設定された複数の時刻のうち所定時刻になった時に、前記チューナ部により所定放送信号を選局してこの放送信号からＥＰＧ情報を取得する処理を行い、取得できないときは、前記設定された複数の時刻に応じて前記設定回数に達するまで取得処理を反復することを特徴とする請求項１記載の放送受信装置。
【請求項３】
前記ＥＰＧ取得部が取得した前記ＥＰＧ情報に基づいて、ユーザの指示に応じて録画予約を行い、これに基づいて予約録画処理を行う予約録画管理部を更に有することを特徴とする請求項１記載の放送受信装置。
【請求項４】
前記ＥＰＧ取得部は、前記チューナ部が選局したアナログ地上波の放送信号の垂直同期信号から前記ＥＰＧ信号を取得することを特徴とする請求項１記載の放送受信装置。
【請求項５】
前記ＥＰＧ取得部は、前記チューナ部による放送信号から前記ＥＰＧ情報の取得に失敗したら、外部のインターネットに接続して外部装置から前記ＥＰＧ情報を取得するインターフェース部を有していることを特徴とする請求項１記載の放送受信装置。
【請求項６】
前記ＥＰＧ取得部は、前記チューナ部を用いて、複数チャンネルの放送信号を選局して、複数種類のＥＰＧ情報を取得することを特徴とする請求項１記載の放送受信装置。
【請求項７】
前記制御部は、前記ＥＰＧ取得部が前記チューナ部を用いて、複数チャンネルの放送信号を介して複数種類のＥＰＧ情報を取得する際に、それぞれ予め独立した回数を設定して、前記ＥＰＧ取得部が、前記ＥＰＧ情報の取得に失敗したらこれをカウントし、前記ＥＰＧ情報の取得を再度行い、このカウント数が対応する前記異なる回数に達したら、前記ＥＰＧ情報の取得の中止を表示するための表示信号を出力することを特徴とする請求項６記載の放送受信装置。
【請求項８】
放送信号を選局し復調して映像音声情報を出力し、
前記選局された放送信号からＥＰＧ情報を取得して記憶し、
前記ＥＰＧ情報の取得に失敗したらこれをカウントし、前記ＥＰＧ情報の取得を再度行い、このカウント数が予め設定した回数に達したら、前記ＥＰＧ情報の取得の中止を表示するための表示信号を出力することを特徴とする放送受信方法。
【請求項９】
予め設定された複数の時刻のうち所定時刻になった時に、前記所定放送信号を選局してこの放送信号からＥＰＧ情報を取得する処理を行い、取得できないときは、前記設定された複数の時刻に応じて前記設定回数に達するまで取得処理を反復することを特徴とする請求項８記載の放送受信方法。
【請求項１０】
前記取得した前記ＥＰＧ情報に基づいて、ユーザの指示に応じて録画予約を行い、これに基づいて予約録画処理を行うことを特徴とする請求項８記載の放送受信方法。
【請求項１１】
前記選局したアナログ地上波の放送信号の垂直同期信号から前記ＥＰＧ信号を取得することを特徴とする請求項８記載の放送受信方法。
【請求項１２】
前記放送信号から前記ＥＰＧ情報の取得に失敗したら、外部のインターネットに接続して外部装置から前記ＥＰＧ情報を取得することを特徴とする請求項８記載の放送受信方法。
【請求項１３】
複数種類のＥＰＧ情報を取得する際に、それぞれ異なる複数のチャンネルの放送信号を選局して行うことを特徴とする請求項８記載の放送受信方法。
【請求項１４】
前記複数チャンネルの放送信号を介して複数種類のＥＰＧ情報を取得する際に、それぞれ予め独立した回数を設定して、前記ＥＰＧ情報の取得に失敗したらこれをカウントし、前記ＥＰＧ情報の取得を再度行い、このカウント数が対応する前記異なる回数に達したら、前記ＥＰＧ情報の取得の中止を表示するための表示信号を出力することを特徴とする請求項１３記載の放送受信方法。
【発明の詳細な説明】
【技術分野】
【０００１】
この発明は、地上波及び衛星放送等を受信する放送受信装置に関し、特に、ＥＰＧ情報を取得する放送受信装置及び放送受信方法に関する。
【背景技術】
【０００２】
最近、デジタル機器の普及と共にハードディスクレコーダ等の放送受信装置が一般化しつつあり、従来のＶＴＲ（Video Tape Recorder）による記録再生処理の場合よりも、多くの映像情報を容易に記録・再生することが可能となってきている。このような放送受信装置においては、放送局又はサーバから供給される電子番組情報（Electronic Program Guide）を活用して、留守録画処理を更に容易に行うことが可能となってきている。
【０００３】
特許文献１においては、放送受信装置において、テレビ番組情報（すなわち、ＥＰＧ情報）を利用して、録画予約を行い、ユーザの希望の番組の録画予約を容易に行うことが可能となる放送受信装置が示されている。
【特許文献１】特開平１０−３２６４７９号公報。
【発明の開示】
【発明が解決しようとする課題】
【０００４】
しかしながら上記した従来技術においては、テレビ番組情報（ＥＰＧ情報）をネットワークを介し又はデータ放送から取得することが非常に簡単に述べられているものの、その詳細な説明はなされていない。従って、例えば、放送信号に重畳したＥＰＧ情報を取得する際にうまく取得できなかった場合等に、どのように対応するべきかが具体的に示されていないとの問題がある。
【０００５】
本発明は、ＥＰＧ情報の自動的で円滑な取得処理を行う放送受信装置及び放送受信方法を提供することを目的とする。
【課題を解決するための手段】
【０００６】
本発明の一実施形態に係る放送受信装置は、放送信号を選局し復調して映像音声情報を出力するチューナ部と、前記チューナ部により所定放送信号を選局し、この放送信号からＥＰＧ情報を取得して記憶するＥＰＧ取得部と、前記ＥＰＧ取得部が、前記ＥＰＧ情報の取得に失敗したらこれをカウントし、前記ＥＰＧ情報の取得を再度行い、このカウント数が予め設定した回数に達したら、前記ＥＰＧ情報の取得の中止を表示するための表示信号を出力する制御部とを具備することを特徴とする放送受信装置である。
【発明の効果】
【０００７】
本発明の一実施形態である放送受信装置においては、上記したように、放送信号からＥＰＧ情報を取得しようとして、取得がうまくいかなかった時、例えば、予め設定された時刻表の時刻に応じて、再度、放送信号からＥＰＧ情報を取得し、このような取得処理を、ＥＰＧ情報が取得完了するまで、ユーザに問い合わせることなく、自動的に繰り返すものである。そして、トライ回数をカウントしておき、予め設定してあるトライ回数に達したら、それ以上の取得処理を繰り返すことなく、今度は、ユーザに対して、画面等を介して、『ＥＰＧ情報の取得処理を繰り返しましたが、取得不能のため、取得を中止します』等の表示を行うものである。
【０００８】
これにより、取得不能（例えば、通信不能等が原因）の場合だけ、ユーザへ最新のＥＰＧ情報が得られていない状況（チューナ等の不具合等を知らせて）を説明し、修復の機会を与えると共に、正常の場合は、ユーザに何も知らせることなく自動的にＥＰＧ情報を更新するものである。これにより、ユーザへの負担を最小に抑えながら、常に、最新のＥＰＧ情報を自動更新して提供することで、例えば、ＥＰＧ情報を利用した予約録画処理や、通常の視聴処理を可能とするものである。
【発明を実施するための最良の形態】
【０００９】
以下、この発明の実施の形態について図面を参照して詳細に説明する。  
本発明に係る放送受信装置として、図１に示すような複合型放送受信装置である放送受信装置１０を例に挙げて、以下に詳細に説明する。
【００１０】
＜本発明の一実施形態に係る放送受信装置＞
初めに、本発明に係る放送受信装置の構成を図面を用いて説明する。図１は、本発明の一実施形態に係る放送受信装置の構成の一例を示すブロック図である。
【００１１】
（構成）
この実施形態では、放送受信装置１０は、記録媒体としてＤＶＤ−ＲＡＭとハードディスクの双方を取り扱うことができる装置として示しているが、ハードディスク又はＤＶＤ−ＲＡＭは、例えば、半導体メモリによる記録媒体などに置換されてもよい。又、セットトップボックスのように、記録部を有しないチューナユニットの場合も可能である。図１の各ブロックを大きく分けると、左側には記録部の主なブロックを示し，右側には再生部の主なブロックを示している。
【００１２】
図１の放送受信装置１０は、２種類のディスクドライブ部を有する。まず、ビデオファイルを構築できる情報記録媒体である第１のメディアとしての光ディスクＤを回転駆動し、情報の読み書きを実行する光ディスクドライブ部１９を有する。又、第２のメディアとしてのハードディスクを駆動するハードディスクドライブ部１８を有する。制御部３０は、全体の動作を司るべくデータバスを介して各部に接続されている。
【００１３】
又、図１の放送受信装置１０は、録画側を構成するエンコーダ部２１と、再生側を構成するデコーダ部２２と、装置本体の動作を制御する制御部３０とを主たる構成要素としている。放送受信装置１０は、入力側のセレクタ１６と出力側のセレクタ１７とを有しており、入力側のセレクタ１６には、ネットワークＩ／Ｆ部１１と、チューナ部１２と、入力部１３とが接続され、エンコーダ部２１、又は、ＥＰＧ取得部４１に信号を出力する。又、放送受信装置１０は、エンコーダ部２１に接続されるフォーマッタ部２３と、エンコーダ部２１の出力を受け、例えば音声ライブラリの検出処理と連動して、データ編集等の所望のデータ処理を行うデータ編集部２０、データ編集部２０に接続されるハードディスクドライブ部１８、光ディスクドライブ部１９を有している。更に、放送受信装置１０は、ハードディスクドライブ部１８、光ディスクドライブ部１９からの信号を受けてデコードするデコーダ部２２と、エンコーダ部２１、デコーダ部２２、制御部３０、表示部３３からの操作信号を受けるビデオミキシング部２４とを有している。これらの各部は、データバスを介して制御部３０に接続されている。更に、セレクタ部１７の出力は、外部のスピーカ部２５と、ディスプレイ部２６とに接続されるか、外部装置との通信を行うインタフェース部２７を介して、外部装置に供給される。
【００１４】
更に、放送受信装置１０は、データバスを介して制御部３０に接続され、ユーザの操作やリモコンＲの操作を受ける操作部３２を有している。ここで、リモコンは、放送受信装置１０の本体に設けられる操作部３２とほぼ同等の操作を可能とするものであり、ハードディスクドライブ部１８や光ディスクドライバ部１９の記録再生指示や、編集指示、又、チューナの操作、予約録画の設定等、各種設定が可能である。又、更に、放送受信装置１０は、チューナ部１２又はネットワークＩ／Ｆ部１１に接続され、例えば、セレクタ部１６を介して、ＥＰＧ情報を取得し、又、ＥＰＧ情報が取得できなかったときは、あらかじめ設定された又は与えられた時刻情報に応じて、複数回のＥＰＧ情報の取得処理を制御するＥＰＧ取得部４１と、自機のライブラリ情報及びネットワーク上の機器のライブラリ情報等を管理するデータベース部４２と、ハードディスクドライブ部１８や光ディスクドライブ部１９を用いて、特に上述したＥＰＧ取得部４１やデータベース部４２と連動して又は連動することなく予約録画を実行する予約録画管理部４３とを有している。
【００１５】
（基本動作）
このような構成の放送受信装置において、光ディスクに例を取って、再生処理と記録処理の概要を説明すると、制御部３０の制御下において、所定速度に回転される光ディスクＤは、レーザ光が照射されその反射光が光ピックアップにより検出され、これに基づく検出信号Ｓが出力される。この検出信号Ｓに基づいて、ＲＦ信号が生成され、再生処理が行われる。
【００１６】
又、光ディスクの記録処理は、制御部３０の制御下において、例えば入力部１３、セレクタ部１６を介して供給されたデータは一時的に音声ライブラリ管理部４２の記憶領域に蓄えられた後にエンコーダ部２１に供給され、コード化されて出力される。このコード化出力と制御部３０の出力に応じて、レーザドライバ６５の駆動電流が光ピックアップ５１に供給され、光ディスクＤの記憶領域に照射することで、記録処理が行われるものである。
【００１７】
（詳細な動作）
・記録処理等
次に、このような構成を有する放送受信装置１０の動作を、更に詳細に説明する。初めに、主に記録時の動作について、他の実施形態も含めて詳細に説明する。放送受信装置１０の入力側として、ネットワークＩ／Ｆ部１１は、例えば、インターネット等を介してサーバＳ等に接続しコンテンツ情報等をダウンロードしたりする。又、チューナ部１２は、アンテナを介して放送信号を選局し復調して映像信号及び音声信号を出力するもので、広範な種類に対応するもので、例えば、地上波アナログ放送、地上波デジタル放送、ＢＳアナログ放送、ＢＳデジタル放送、ＣＳデジタル放送等に及ぶものであり、これに限るものではない。又、必ずしも一つだけを設けるものではなく、例えば、地上波アナログ放送のチューナ部を２つ又は３つ以上を有し、予約録画の要求に応じて平行して機能させるものであることも好適である。
【００１８】
又、入力部１３は、外部から、輝度信号や色差信号、コンポジット等の映像信号、音声信号を受ける。これらは、制御部３０等で制御されるセレクタ１６により、入力が制御されて、エンコーダ部２１に選択的に供給される。すなわち、エンコーダ部２１には、入力部１３からの外部アナログビデオ信号や外部アナログオーディオ信号、又は、ＴＶチューナ１２からのアナログビデオ信号とアナログオーディオ信号が、セレクタ１６を介して入力される。
【００１９】
エンコーダ部２１は、セレクタ１６により入力されたアナログビデオ信号やアナログオーディオ信号をデジタル化するビデオ用及びオーディオ用のアナログデジタルコンバータと、ビデオエンコーダと、オーディオエンコーダとを有する。更に、副映像エンコーダも含む。エンコーダ部２１の出力は、バッファメモリを含むフォーマッタ部２３にて所定のＭＰＥＧ等の圧縮フォーマットに変換され、先の制御部３０に供給される。
【００２０】
なお、エンコーダ部２１は、直接圧縮されたデジタルビデオ信号やデジタルオーディオ信号が直接入力されるときは、圧縮デジタルビデオ信号やデジタルオーディオ信号を直接フォーマッタ部２３に供給することもできる。又、エンコーダ部２１は、アナログデジタル変換されたデジタルビデオ信号やオーディオ信号を、ビデオミキシング部２４やセレクタ部１７に直接供給することもできる。
【００２１】
ここで図１の装置は、フォーマッタ部２３でフォーマット化された情報（ビデオ、オーディオ、副映像データなどのパック）及び作成された管理情報を、制御部３０を介してハードディスクドライブ部１８又は光ディスクドライブ部１９に供給し、ハードディスクドライブ部１８、又は、光ディスクＤに記録することができる。又、ハードディスクドライブ部１８、又は、光ディスクＤに記録された情報を、制御部３０、光ディスクドライブ部１９を介して光ディスクＤ、又は、ハードディスクドライブ部１８に記録することもできる。
【００２２】
又、上述した予約録画管理部４３によれば、リモコンＲや操作部３２から入力された予約情報、又、チューナ部１２やネットワークＩ／Ｆ部１１を介して取得したＥＰＧ（Electronic Program Guide）情報又はｉＥＰＧ情報に基づいて、予約録画を行う。又、この予約録画により蓄積された録画情報に応じたライブラリ情報が、データベース部４２で生成され管理される。
【００２３】
・編集処理等
データ編集部２０により、ハードディスクドライブ部１８又は光ディスクＤに記録されている複数番組のビデオオブジェクトを、一部削除したり、異なる番組のオブジェクトをつなげたり、といった編集処理を行うこともできる。
【００２４】
編集処理の際、又は、他の処理の際に、ＭＰＵの実行結果のうち、ユーザに通知すべき内容は、放送受信装置の表示部３３に表示されるか、又は、ディスプレイ２６にＯＳＤ（オンスクリーンディスプレイ）表示される。又、制御部３０は、この装置を操作するための操作信号を与える操作部３２を有する。操作部３２は、更に、リモコンＲを伴うことが好適である。
【００２５】
・再生処理等  
次に、主に記録された情報の再生処理について、他の実施形態も含めて詳細に説明する。デコーダ部２２は、デコードされた主映像にデコードされた副映像を適宜合成し、主映像にメニュー、ハイライトボタン、字幕やその他の副映像を重ねて出力するビデオプロセッサを備えている。
【００２６】
デコーダ部２２の出力ビデオ信号は、ビデオミキシング部２４に入力される。ビデオミキシング部２４では、テキストデータの合成が行われる。又、ビデオミキシング部２４には、ＴＶチューナ１２や入力部１３からの信号を直接取り込むラインも接続されている。ビデオミキシング部２４には、バッファとして用いる図示しないフレームメモリが接続されている。ビデオミキシング部２４の出力が、セレクタ部１７に供給され、セレクタ部１７により選択されれば、ディスプレイ２６に供給されて表示されるか、Ｉ／Ｆ（インタフェース）部２７を介して外部装置に供給される。
【００２７】
デコーダ部２２の出力オーディオ信号は、セレクタ部１７を介して図示しないデジタルアナログ変換器でアナログ変換されてスピーカ２５に供給されるか、Ｉ／Ｆ部２７を介して外部装置に供給される。セレクタ部１７は、制御部３０からのセレクト信号により制御される。これによりセレクタ部１７は、ＴＶチューナ１２や入力部１３からのデジタル信号を直接モニタする時、エンコーダ部２１をスルーした信号を直接選択することも可能である。
【００２８】
この実施形態の放送受信装置１０は、このように総合的な機能を有するものであるが、次に、ここで、この放送受信装置１０の、主にＥＰＧ取得部４１によるＥＰＧ情報取得処理を以下にフローチャート等を用いて詳細に説明する。
【００２９】
＜ＥＰＧ情報取得処理＞
図２乃至図４は、本発明の一実施形態に係る放送受信装置のＥＰＧ情報の取得処理の一例を示すフローチャートである。これらのＥＰＧ情報取得処理は、一例として、ＥＰＧ取得部４１や制御部３０に内蔵される動作プログラムに応じて処理されるものである。初めに、図２のフローチャートにおいて、ユーザの操作により、リモコンＲや操作部３２を介して、又は、デフォルト（default）で、例えば、５回等のトライ回数が設定される（Ｓ１１）。そして、予め与えられた、又は、ユーザにより与えられた又は放送信号により与えられたＥＰＧ情報の取得時刻情報をＥＰＧ取得部４１や制御部３０において記憶する。
【００３０】
この取得時刻情報とは、一例として、『６：０２〜６：１２、７：０２〜７：１２、９：０２〜９：１２、１１：０２〜１１：１２、１３：０２〜１３：１２、１５：０２〜１５：１２、１７：０２〜１７：１２、１９：０２〜１９：１２、２１：０２〜２１：１２、２３：０２〜２３：１２』等の、一日２回の情報更新によるＥＰＧ情報である場合が好適である。又、放送信号は、ＣＳ放送、ＢＳアナログ放送、ＢＳデジタル放送、アナログ地上波、デジタル地上波等が好適である。ここで、一例として、例えば、地上波アナログ放送の１０チャンネルの朝日テレビ系列のＥＰＧ情報である、ＡＤＡＭＳであってもよい。
【００３１】
ここで、このような取得時刻情報の最初の時刻からＥＰＧ情報を取得してもよいし、ユーザがこれらの取得時刻情報から任意に時刻を設定することも好適である。
【００３２】
現在時間が、設定された取得時刻情報に達すれば（又はユーザのマニュアル操作に応じて動作してもよい）（Ｓ１２）、チューナ部１２からの放送信号から抽出して（又はネットワークＩ／Ｆ部１１を介しインターネットを経由して）、ＥＰＧ情報の取得を行う（Ｓ１３）。
【００３３】
ここで、ＥＰＧ情報は、例えば、地上波アナログ放送であれば、一例として、チューナ部１２が選局したアナログ地上波の放送信号の垂直同期信号から取得するものである。又、ネットワークＩ／Ｆ部１１を経由してインターネットを介し外部装置、例えば、放送局のサーバＳから供給されるものでもよい。
【００３４】
ＥＰＧ情報の取得が確認できたら、ＥＰＧ取得部４１内の記憶領域にこれを格納し、ユーザの操作に応じてディスプレイ２６等に画面表示したり、予約管理部４３等で行われる録画予約の際に利用するものである。
【００３５】
しかし、ここでＥＰＧ情報の取得ができなかったら（Ｓ１４）、制御部３０又はＥＰＧ取得部４１において、内蔵するカウント値を一つアップして（Ｓ１５）、例えば、上述した取得時刻情報における次の時刻になるまで待機し、同様に、ステップＳ１２以降のＥＰＧ情報の取得処理を自動的に行うものである。従って、ユーザの判断を仰ぐ等の負担をかけることなくＥＰＧ情報が自動更新されるものである。
【００３６】
しかし、ここで、ＥＰＧ情報の取得処理が反復され、カウント値が、ユーザにより設定されたトライ回数に達した場合は（Ｓ１６）、ユーザに対して、例えば、ディスプレイ２６等の画面を介して、ＥＰＧ情報の取得ができなかったためこれ以上の取得を行わないことを表示する（Ｓ１７）。すなわち、『ＥＰＧ情報の取得処理を繰り返しましたが、取得不能のため、取得を中止します』等の表示を行うことで、取得不能（例えば、通信不能等が原因）の場合だけ、ユーザへ最新のＥＰＧ情報が得られていない状況（チューナ等の不具合等を知らせて）を説明し、修復の機会を与えるものである。
【００３７】
この時、例えば、チューナ部１２の受信状況や問題点を併せて、先の画面表示に表示することも好適である。
【００３８】
このように、正常の場合は、ユーザに何も知らせることなく自動的にＥＰＧ情報を更新し、トライ回数を超えて、ＥＰＧ情報の取得が困難の場合だけ、ユーザに通知することで、ユーザへの負担を最小に抑えながら、常に、最新のＥＰＧ情報を自動更新して提供することで、例えば、ＥＰＧ情報を利用した予約録画処理や、通常の視聴処理を可能とするものである。
【００３９】
・インターネットによる取得
図３においては、特に、チューナ部１２によるＥＰＧ情報の取得を行い（Ｓ２１）、ＥＰＧ情報の取得が不能である場合（Ｓ２２）、直ぐに、インターネットを経由して、ＥＰＧ情報の取得を試るものである（Ｓ２３）。ＥＰＧ情報を取得できない場合（Ｓ２４）以降の処理は、図２と同等である。
【００４０】
・チャンネル毎のＥＰＧ情報の取得処理
又、更に、取得すべきＥＰＧ情報が一つではなく、例えば、ＣＳ放送や、ＢＳ放送と、地上波アナログ放送、地上波デジタル放送に応じた異なるＥＰＧ情報である場合も可能である。すなわち、一例として、ＣＳ放送、ＢＳ放送、地上波デジタル放送のためのＥＰＧ情報と、地上波アナログ放送用のＥＰＧ情報とを、それぞれ、別のルートで別に取得することが可能である。又、もちろん、地上波アナログ放送の一つのチャンネルだけのＥＰＧ情報を一つのチャンネルの放送信号から取得することも可能である。このような場合、上述したトライ回数も、取得すべきＥＰＧ情報の単位毎に、独自に設定することが好適であり、独立して、ＥＰＧ情報の取得処理、カウント、取得できない場合の表示が行われる。
【００４１】
すなわち、図４のフローチャートにおいて、ユーザにより、チャンネル毎に、取得先及びトライ回数が設定されると（Ｓ３１）、設定された取得時刻に達すれば（Ｓ３２）、ユーザの設定したチャンネル毎の設定に応じて、チューナ部１２からの放送信号から抽出して、又は、インターネットを経由して、ＥＰＧ情報の取得がなされる（Ｓ３３）。
【００４２】
ここで、ＥＰＧ情報が取得できない場合（Ｓ３４）、カウント値を一つ、アップし（Ｓ３４）、カウント値は、ユーザによりチャンネル毎に設定されたトライ回数に達したかどうかが、取得単位毎（例えば、チャンネル毎）に確認される（Ｓ３６）。トライ回数に達した倍は、ユーザに、このＥＰＧ情報については、ＥＰＧ情報の取得ができなかったため、これ以上の取得を行わないことを表示するべく、表示信号が出力される（Ｓ３７）。
【００４３】
このような動作を、全てのチャンネル（又は、全てのＥＰＧ情報の取得単位）について、ＥＰＧ情報の取得が完了するまで繰り返されるものである（Ｓ３８）。すなわち、ここで、例えば、衛星放送（ＣＳ放送、ＢＳ放送）用のＥＰＧ情報と、地上波デジタル放送用のＥＰＧ情報と、地上波アナログ放送用の１チャンネル及び３チャンネル用のＥＰＧ情報と、地上波アナログ放送用の民放用のＥＰＧ情報との、４つのＥＰＧ情報として、取得する場合が考えられる。このような場合は、４つのＥＰＧ情報取得処理は、それぞれ独立して行われ、トライ回数も独立してユーザに設定され、ＥＰＧ情報が取得できない場合の取得処理の中断の報告も独立して行われることが好適となる。
【００４４】
以上記載した実施形態においては、光ディスクのディスクドライバ部等を含む複合機としての放送受信装置において、本発明の一実施形態を説明したが、これに限らず、例えば、チューナ部だけを扱うセットトップボックス等の形態での放送受信装置においても、同等の処理が可能であることは言うまでもない。
【００４５】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００４６】
【図１】本発明の一実施形態に係る放送受信装置の構成の一例を示すブロック図。
【図２】本発明の一実施形態に係る放送受信装置のＥＰＧ情報の取得処理の一例を示すフローチャート。
【図３】本発明の一実施形態に係る放送受信装置のＥＰＧ情報の取得処理の他の一例を示すフローチャート。
【図４】本発明の一実施形態に係る放送受信装置のＥＰＧ情報の取得処理の他の一例を示すフローチャート。
【符号の説明】
【００４７】
１１…ネットワークＩ／Ｆ部、１２…チューナ部、１３…入力部、１８…ハードディスクドライブ部、１９…光ディスクドライブ部、２０…データ編集部、２１…エンコーダ部、２２…デコーダ部、２３…フォーマッタ部、２４…ビデオミキシング部、２６…ディスプレイ、２７…Ｉ／Ｆ部、３０…制御部、３２…操作部、３３…表示部、Ｒ…リモコン、４１…ＥＰＧ取得部、４２…データベース部、４３…予約録画管理部。
【図１】
2006080665.tif 000003
【図２】
2006080665.tif 000004
【図３】
2006080665.tif 000005
【図４】
2006080665.tif 000006